(57)【要約】【課題】排気ファンの風力を利用して、集めた水滴を吹き飛ばしたり、蒸散させたりすることにより、屋外機器の金属製筐体の側面に一体として設けられているルーバの腐食を防止することを可能とした排気ルーバ腐食防止カバーを提供する。【解決手段】排気ファンの排気の排気口に設けられるルーバが金属製筐体の側面に一体として設けられている屋外機器において、排気ファンの風力が強い位置に凹部を形成した曲線状部材と、曲線状部材の端部を支持する枠部材と、枠部材の上端部及び両側端部に筐体側に屈曲するように延設した囲い壁とを有する、ルーバを覆うカバー部と、カバー部の囲い壁の先端部分を、筐体の外壁面に密着するように取り付けるための取付部とを備えた。【選択図】図１
2013021046.tif 000002
【特許請求の範囲】
【請求項１】
排気ファン（１０１）の排気口に設けられるルーバ（１０３）が金属製筐体（１０２）の側面に一体として設けられている屋外機器（１００）において、
前記排気ファン（１０１）の風力が強い位置に凹部を形成した曲線状部材（１２、１３、１４）と、該曲線状部材の端部を支持する枠部材（１６）と、該枠部材（１６）の上端部及び両側端部に前記筐体（１０２）側に屈曲するように延設した囲い壁（２０）とを有する前記ルーバ（１０３）を覆うカバー部（５０）と、
該カバー部（５０）の囲い壁（２０）の先端部分を、前記筐体（１０２）の外壁面に密着するように取り付けるための取付部（７０）と、を備えた、ことを特徴とする排気ルーバ腐食防止カバー。
【請求項２】
前記曲線状部材は、前記排気ファン（１０１）の回転軸に垂直な鉛直断面において、略Ｕ字状である羽板（１２、１３）又は／及び略Ｗ字状である羽板（１４）からなり、該羽板は前記筐体（１０２）側が斜め上方になるように傾斜した、ことを特徴とする請求項１に記載の排気ルーバ腐食防止カバー。
【請求項３】
前記カバー部（５０）は、さらに前記曲線状部材（１２、１４）の凹部前面に接し、略鉛直方向に延びるように配設された導水部（９０）を有する、ことを特徴とする、請求項１又は２に記載の排気ルーバ防止カバー。
【請求項４】
前記取付部（７０）により、前記筐体（１０２）に着脱可能に取付けられる、ことを特徴とする請求項１から３のいずれか１つに記載の排気ルーバ腐食防止カバー。
【発明の詳細な説明】
【技術分野】
【０００１】
本発明は、電動機等の屋外機器の筐体の外側に取り付けるカバーに係り、特に金属製の
屋外機器の筐体に一体として設けられたルーバの腐食を防止することができる屋外機器排気ルーバ腐食防止カバーに関する。
【背景技術】
【０００２】
従来、図６に示すように、屋外に設置される電動機や室外機等の屋外機器１００には、内部で発生する熱を放熱させるための排気ファン１０１が設けられると共に、筐体１０２には排気ファン１０１の排気を阻害しないように、また、筐体１０２内部に雨水等が入り込まないように、ルーバ１０３が一体として設けられている。
【０００３】
このような屋外機器としては、例えば、特許文献１の特開平１０−３１１６３８公報「屋外設置用キャビネット型通信装置」等が提案されている。
この「屋外設置用キャビネット型通信装置」には、キャビネット状の本体部に外気排気ファン用のルーバを設けて、収容している電子機器の熱を効率的に排熱するように構成されたものが開示されている。
【先行技術文献】
【特許文献】
【０００４】
【特許文献１】特開平１０−３１１６３８公報
【発明の概要】
【発明が解決しようとする課題】
【０００５】
しかし、ルーバ１０３が一体として設けられる、屋外機器１００の筐体１０２は、耐久性や耐熱性などの観点から、金属製である場合が多い。ルーバ１０３は、屋外に面して設置されるため、その先端には雨水等による水滴が滞留しやすく、腐食しやすい。そして、ルーバ１０３が腐食してしまうと、錆によって排気・排熱が妨げられたり、排気ファン１０１のモータ内部への水滴の侵入を防ぐことができなくなってしまう。腐食したルーバ１０３を補修するためには、ルーバ１０３が筐体１０２と一体となって設けられているため、内部に収められた機器から筐体１０２を取り外す必要があり、補修が大掛かりとなるといった問題があった。また、筐体１０２全体を交換しようとすると、経済的な負担が大きくなるという問題があった。
【０００６】
本発明は、上述した問題点を解決するために提案されたものである。すなわち、本発明の目的は、ルーバ１０３に雨水等が掛かることを防ぐだけでなく、排気ファン１０１の風力の強い部分に凹部を形成した曲線状部材を設け、水滴の滴下・蒸散を促すことによって、ルーバ１０３が腐食することを防止する排気ルーバ腐食防止カバーを提供することにある。
【０００７】
上記の目的を達成するための本発明の第１の排気ルーバ腐食防止カバーは、排気ファン（１０１）の排気口に設けられるルーバ（１０３）が金属製筐体（１０２）の側面に一体として設けられている屋外機器（１００）において、前記排気ファン（１０１）の風力が強い位置に凹部を形成した曲線状部材（１２、１３、１４）と、該曲線状部材の端部を支持する枠部材（１６）と、該枠部材（１６）の上端部及び両側端部に前記筐体（１０２）側に屈曲するように延設した囲い壁（２０）とを有する前記ルーバ（１０３）を覆うカバー部（５０）と、該カバー部（５０）の囲い壁（２０）の先端部分を、前記筐体（１０２）の外壁面に密着するように取り付けるための取付部（７０）と、を備えた、ことを特徴とする。
【０００８】
前記曲線状部材は、前記排気ファン（１０１）の回転軸に垂直な鉛直断面において、略Ｕ字状である羽板（１２、１３）又は／及び略Ｗ字状である羽板（１４）からなり、該羽板は前記筐体（１０２）側が斜め上方になるように傾斜したものでもよい。
【０００９】
前記カバー部（５０）は、さらに前記曲線状部材（１２、１４）の凹部前面に接し、略鉛直方向に延びるように配設された導水部（９０）を有してもよい。
また、前記取付部（７０）により、前記筐体（１０２）に着脱可能に取付けられてもよい。
【発明の効果】
【００１０】
本発明の排気ルーバ腐食防止カバーは、排気ファンの風力が強い位置に水滴を集めるように凹部を形成した曲線状部材を有するカバー部を備えることにより、ルーバに雨水等の水滴が掛かるのを防ぐと共に、排気ルーバ腐食防止カバーに付着した水滴の滴下・蒸散を促し、ルーバ周辺の湿度を下げ、ルーバの腐食を防止することができる。
【図面の簡単な説明】
【００１１】
【図１】実施例１の排気ルーバ腐食防止カバーを正面斜め上方から視認した概略斜視図である。
【図２】実施例１の排気ルーバ腐食防止カバーを筐体に取り付けた際の概略図であり、（ａ）は右側面図、（ｂ）は図１のＸ−Ｘ部分の断面図である。
【図３】実施例１の排気ルーバ腐食防止カバーの、図２（ａ）のＹ−Ｙ部分の断面図である。
【図４】実施例１の排気ルーバ腐食防止カバーの通気孔部分の曲線状部材の凹部の位置と、排気ファンの風力との対応関係を示す説明図である。
【図５】実施例２の排気ルーバ腐食防止カバーの概略図であって、（ａ）は正面斜め上方から視認した概略斜視図、（ｂ）は排気ルーバ腐食防止カバーを筐体に取り付けた際の（ａ）Ｚ−Ｚ部分の断面図である。
【図６】従来の屋外機器の構成の一部を示す概略図である。
【発明を実施するための形態】
【実施例１】
【００１２】
以下、本発明の排気ルーバ腐食防止カバーの実施の形態を、図面に基づいて説明する。
図１は実施例１の排気ルーバ腐食防止カバー１を正面斜め上方から視認した概略斜視図である。図２は実施例１の排気ルーバ腐食防止カバー１を筐体１０２に取り付けた際の概略図であり、（ａ）は右側面図、（ｂ）は図１のＸ−Ｘ部分の断面図である。図３は実施例１の排気ルーバ腐食防止カバー１の、図２（ａ）のＹ−Ｙ部分の断面図である。
図１、図２に示すように、実施例１の排気ルーバ腐食防止カバー１は、排気ファン１０１のルーバ１０３と対面するように排気ファン１０１の回転軸に対して略垂直に配設される通気部１０と、通気部１０の上端部及び両側端部に筐体１０２側に屈曲するように周設された囲い壁２０とからなる、ルーバ１０３を覆うカバー部５０と、カバー部５０を筐体１０２に取り付けるために、カバー部５０の囲い壁２０の先端部の壁面に固着される取付部７０とから構成される。
【００１３】
通気部１０は、複数の曲線状部材１２（１２ａ〜ｃ）、１３、１４（１４ａ〜ｅ）と、これらの曲線状部材１２〜１４を支持する枠状部材１６とからなる。
曲線状部材１２〜１４は、図１、図２に示すように、短手方向の長さが等しい略矩形状の板を屈曲させたような形状であり、長手方向に平行な断面が略Ｕ字状である羽板１２、１３と略Ｗ字状である羽板１４とからなる。図１に示すように、略Ｕ字状の羽板１２ａ、略Ｗ字状の羽板１４ａ〜ｅ、略Ｕ字状の羽板１３は、上から順にその中心が鉛直方向に並ぶように設けられており、略Ｕ字状の羽板１２ｂ、１２ｃは、略Ｕ字状の羽板１２ａと略Ｗ字状の羽板１４ａとの空間を埋めるように左右に並ぶように設けられている。
また、図２に示すように、各羽板１２〜１４は、その短手方向がルーバ１０３の短手方向と略平行であり、筐体１０２側が鉛直方向上方となるように傾斜して設けられている。そして、各羽板１２〜１４は筐体１０２の外壁面から等間隔の位置に設けられている。
【００１４】
枠状部材１６は、図２（ｂ）、図３に示すように略矩形の板状であり、その中央部には略円形の通気孔１６ｘが設けられている。通気孔１６ｘは図２（ｂ）に示すように側面視平行四辺形の、円柱を斜めに押しつぶしたような形状をしており、その中心線はルーバ１０３の短手方向と略平行である。
図２、図３に示すように、略Ｕ字状の羽板１２ａと略Ｗ字状の羽板１４ａ〜ｅは、その長手方向両端部の筐体１０２側が、通気孔１６ｘの内壁面によって支持されている。略Ｕ字状の羽板１２ｂ、１２ｃにおいては、その長手方向両端部のうち、通気孔１６ｘの中央側の端部は略Ｕ字状の羽板１２ａの下壁面に、外側の端部の筐体１０２側部分は略Ｕ字状の羽板１２ａ等と同様に通気孔１６ｘの内壁面によって支持されている。また、略Ｕ字状の羽板１３は、その長手方向両端部とも略Ｗ字状の羽板１４ｅの下壁面によって支持されている。
また、曲線状部材１２〜１４の短手方向の下端側部分は、図２に示すように枠状部材１６の前面から突出するように形成されている。
【００１５】
囲い壁２０は、図１、２に示すように、略矩形の板状である庇部２２と、対面する略平行四辺形の板状である側壁部２４とからなる。
図２に示すように、庇部２２は、本体部１０の枠状部材１６の上端縁部から筐体１０２側に斜め上方に延ばすようにして設けられる。また、側壁部２４は、庇部２２の両端部から下方に、かつ、本体部１０の側端部から立ち上がるように延設されている。
【００１６】
庇部２２の傾きは、図２に示すように、ルーバ１０３の傾きと略同じである。庇部２２の短手方向の長さは、筐体１０２から突出しているルーバ１０３の短手方向の長さよりも長く、また、庇部２２の下端部と筐体１０２との水平方向の距離は、側壁部２４の短手方向の長さと同じである。この距離は、本体部１０がルーバ１０３の先端に接触せず、かつ、排気ファン１０１の風力を利用できるように（詳細は後述する）、本体部１０が排気ファン１０１から離れすぎることのないような大きさとなっている。
【００１７】
カバー部５０の素材は限定されず、金属製でも樹脂製でもよい。筐体１０２に収容される機器により、排気される気体の温度が異なるので、例えば電動機のように熱風が出る場合には金属製として、室外機のように温風である場合には樹脂製としてもよい。
【００１８】
取付部７０は、図１、図２に示すように、筐体１０２表面に対面する、囲い壁２０の先端壁面全体に固着される略コの字状の樹脂磁石である。取付部７０の樹脂磁石の表面は、滑らかに形成されており、本体部１０及び囲い壁２０からなるカバーを筐体１０２に密着させることができる。この取付部７０によって、排気ルーバ腐食防止カバー１は、金属性の筐体１０２のルーバ１０３を覆うように着脱可能に後付けすることができる。
【００１９】
図４は、実施例１の排気ルーバ腐食防止カバー１の通気孔１６ｘの筐体１０２側部分の、曲線状部材１２〜１４の凹部の位置と、排気ファン１０１の風力との対応関係を示す説明図である。
排気ファン１０１の風力は、回転する羽根の形状にもよるが、一般的に回転軸がある中心部及び羽根の外側部分は弱く（図４の薄い灰色部分）、羽根の中央から外側の部分が強くなる（図４の濃い灰色に着色したドーナツ状部分）。
排気ルーバ腐食防止カバー１では、図４に示したように、羽板１２〜１４の形状を略Ｕ字状又は略Ｗ字状の曲線状部材として、風力の強い部分（濃い灰色部分）に対応する位置に各羽板１２〜１４の凹部が形成されている。なお、排気ファン１０１の風はルーバ１０３によりその方向や風力が若干変化するので、その変化も考慮して、風力のより強い位置に凹部がくるように、使用される排気ファン１０１に合わせて、曲線状部材を形成することが好ましい。
【００２０】
実施例１の排気ルーバ腐食防止カバー１によれば、金属製の筐体１０２に設けられたルーバ１０３に雨水やごみ等が掛かるのを防ぐことができる。
羽板１２〜１４を前方に傾斜させるだけでなく、屈曲させ凹部に水滴を集め、滴下させることができるので、水滴が滞留しにくい構造となっている。また、曲線状の凹部に水滴を集めることにより、集まる水の量が少ない場合でも、表面張力の影響を受けにくく、水滴が滞留しにくい。よって、ルーバ１０３周辺の湿度を上がるのを防ぐことができる。
【００２１】
さらに、前述したように、排気ファン１０１の風力の強い部分に凹部を形成して水滴に集めるので、風を利用して水滴を吹き飛ばしたり、排気ファン１０１による熱風又は温風により水滴を蒸散させることが可能となる。このように排気ファン１０１の風を利用することによって、ルーバ１０３周辺の湿度を効果的に下げることができる。
【００２２】
排気ルーバ腐食防止カバー１の取付部７０は樹脂磁石であるので、筐体１０２に着脱可能に容易に取り付けることができ、筐体１０２の表面の塗装を傷つけにくい。排気ルーバ腐食防止カバー１を、雨天時には取付けてルーバ１０３を保護し、晴天時には取り外してルーバ１０３周囲の風通しをよくすることができる。よって、さらに効果的にルーバ１０３の腐食を防ぐことができ、取り外した際にはルーバ１０３の状態を、目視により容易に点検することができる。また、脱着可能であるので、排気ルーバ腐食防止カバー１の裏側に水滴やごみ等が付着した場合でも拭き取ることができ、もし排気ルーバ腐食防止カバー１が腐食しても、新しいものと簡単に交換できる。
【００２３】
このように、実施例１の排気ルーバ腐食防止カバー１によれば、ルーバ１０３の腐食を防止し、筐体１０２の補修費用を削減することができる。排気ルーバ腐食防止カバー１は、簡単な構造であり、容易に製造できるので、経済的である。脱着も容易であり、費用が掛からない。
【００２４】
通気部１０、囲い壁２０の形状、素材、構成、大きさ等は、上述したものに限られず、通気部１０の曲線状部材１２〜１４が、排気ファン１０１の風力が強い部分に水滴を集めるような構成であり、排気ファン１０１の排気が阻害されないものであればよい。
例えば、曲線状部材を、略Ｗ字状の羽板部材のみ、または、略Ｕ字状の羽板部材のみで構成してもよい。排気ファン１０１による排気を阻害しない程度に、羽板である曲線状部材１２〜１４の凹部の先端側の曲率を大きくして、より水滴の流速が早くなるように集めて、より滴下しやすい構造としてもよい。
また、本体部１０の曲線状部材１２〜１４は羽板であるが、略Ｕ字状又は／及び略Ｗ字状の線状部材として、狭い間隔で網目状に配設して、水滴の侵入を防ぎ、かつ、水滴の滴下・蒸散を促進するようにしてもよい。
【００２５】
通気部１０の通気孔１６の形状も実施例１の排気ルーバ腐食防止カバー１のように円形に限られず、例えば矩形でも良い。
また、排気ルーバ腐食防止カバー１の側壁部２４は平板状であるが、排気・通気を良くするために、例えばルーバ等を設けてもよい。カバー部５０の形状も排気ルーバ腐食防止カバー１のような箱形に限られず、屋外機器１００の排気ファン１０１やルーバ１０３の形状に合わせたものとすることができる。
【００２６】
取付部７０の形状、素材、構成、大きさ等も、上述したものに限られず、排気ルーバ腐食防止カバー１を筐体１０２に後付けできればよい。
排気ルーバ腐食防止カバー１の取付部７０には、樹脂磁石を用いたが、筐体内に収容されている機器が磁力の影響を受ける場合には、他の取付方法を用いる。例えば、筐体１０２本体に連結部を設け、スライド式で取り付けるようにしたり、排気ルーバ腐食防止カバー１に筐体１０２本体の上面や側面を利用して固定するようにしてもよい。なお、排気ルーバ腐食防止カバー１は、筐体１０２の外壁面に密着するように設けることが好ましい。
カバー部５０を樹脂製とする場合には、透明にして、取り付けたままの状態で排気ルーバ腐食防止カバー１の裏面やルーバ１０３の状況を目視で把握できるようにすることが好ましい。
【実施例２】
【００２７】
図５は、実施例２の排気ルーバ腐食防止カバー２の概略図であって、（ａ）は正面斜め上方から視認した概略斜視図、（ｂ）は排気ルーバ腐食防止カバー２を筐体１０２に取り付けた際の（ａ）Ｚ−Ｚ部分の断面図である。
図５に示すように、実施例２の排気ルーバ腐食防止カバー２は、実施例１の排気ルーバ腐食防止カバー１に、さらに導水部９０が取り付けられている。また、排気ルーバ腐食防止カバー２は、排気ルーバ腐食防止カバー１の曲線状部材１２ａの、突出部分の長さが異なるだけで、その他の部分については、実施例１と同様なので、図面に同じ符号を付し、説明は省略する。
【００２８】
導水部９０は、図５に示すように、流水材９２と集水材９４とからなる。また、実施例２の排気ルーバ腐食防止カバー２の曲線状部材１２ａ´は、実施例１の曲線状部材１２ａよりも突出部分の長さが、短くなっている。
【００２９】
流水材９２は細い直線状の上端部を丸くした柱部材であり、柱部材の背面上部は略Ｕ字状の羽板１２ａ´の凹部前面に固設されており、柱部材の下面は羽板１２ａ´のすぐ下方にある略Ｗ字状の羽板１４ａの凸部上面に固設されている。また、流水材９２の上端部は曲線状部材１２の上側湾曲面よりもわずかに上方に突出するように設けられている。
【００３０】
集水材９４は、上端部及び下端部を丸くした、細い湾曲した二本の柱状部材である。二本の柱状部材は、それぞれ、略Ｕ字状の羽板１２ｂの凹部前面と各曲線状部材１４ａ〜ｅの左側凹部前面、略Ｕ字状の羽板１２ｃの凹部前面と各曲線状部材１４ａ〜ｅの右側凹部前面に接して架設される。集水材９４の上端部も流水材９２同様、最上部の曲線状部材１４の上側湾曲面よりもわずかに上部に突出するように設けられる。また、集水材９４の下端部は、最下部の曲線状部材１４ｅの下側湾曲面より下方に突出し、正面視で本体部１０の枠状部材１６の前面に延びるように設けられている。
【００３１】
実施例２の排気ルーバ腐食防止カバー２は、導水部９０を設け、羽板１２〜１４の凹部に集まり、前方に流れてきた水滴が導水部９０の側面を伝う等して、自重により流れ落ちる構成となっている。よって、排気ルーバ腐食防止カバー１よりもさらに効果的にルーバ１０３の腐食を防ぐことができる。
具体的には、流水材９２は、羽板１２ａ´の凹部の前方に流れてくる水滴を、その下方に設けられている羽板１４ａの上面に運ぶ役割を担う。また、集水材９４は、羽板１２ｂ、１２ｃ、１４ａ〜ｅの凹部の前方に流れてくる水滴を上方から順に集めて、集水材９４の下端部先端から下方の地面等へ滴下させる役割を担う。
流水材９２、集水材９４は、羽板１２、１４が何かにぶつかる等して変形してしまうのを防ぐ、補強材としての役目も担う。
【００３２】
カバー部５０、取付部７０の形状、素材、構成、大きさ等は、実施例１と同様、上述したものに限られない。また、導水部９０の形状、素材、構成、大きさ等も、上述したものに限られず、通気部１０の曲線状部材１２、１４の凹部に集められた水滴が自重により流れ落ちるのを助ける構造であればよい。
例えば、導水部９０の上端の突出部分の、水平方向の断面が平面視で滴形状となるようにしてもよい。さらに、水滴が伝わりやすいように、導水部９０の両側面の長手方向に溝をつけてもよい。また、集水材９４の、曲線状部材１４ｅの下方に突出している部分の背面側と枠状部材１６の前面とに、例えば、棒状の支持部材を配設して、集水材９４による補強の効果を高める構成としても良い。
【００３３】
なお、本発明は上述した発明の実施の形態に限定されず、排気ルーバ腐食防止カバーに掛かる雨水等の水滴を排気ファンの風力の強い部分に集め、水滴の滴下・蒸散を促すことができれば、図示したような構成に限定されず、本発明の要旨を逸脱しない範囲で種々変更できることは勿論である。
【産業上の利用可能性】
【００３４】
本発明の屋外機器排気ルーバ腐食防止カバーは、ルーバのカバーに限らず、その通気部の構成を屋外機器の筐体本体のルーバの形状として利用することができる。また、本発明の水滴の滴下を促す曲線状部材や導水部の構成については、排気部だけでなく、吸気部に使用することも可能である。
【符号の説明】
【００３５】
１，２            屋外機器排気ルーバ腐食防止カバー
１０              通気部
１２、１３、１４  曲線状部材
１６              通気孔
２０              囲い壁
２２              庇部
２４              側壁部
５０              カバー部
７０              取付部
９０              導水部
９２              流水部
９４              集水部
１００            屋外機器
１０１            排気ファン
１０２            筐体
１０３            ルーバ
【図１】
2013021046.tif 000003
【図２】
2013021046.tif 000004
【図３】
2013021046.tif 000005
【図４】
2013021046.tif 000006
【図５】
2013021046.tif 000007
【図６】
2013021046.tif 000008